(57)【要約】      （修正有）【課題】建築現場等において、軽量で、搬入出、移動、組立、解体が容易で、人体や壁面等を傷つけず、柔軟性に富み、耐久性と不燃性とに優れた、ブロック足場を提供する。【解決手段】建築現場において、室内の壁クロス貼り、塗装等の各種工事を行うに際して使用されるブロック足場１が、５種類の発泡性合成樹脂材料からなるブロック単体及び連結部材単体をそれぞれ複数個用いて、階層を重ねて形成されている。第１の階層は、四周を、ブロック単体Ａとブロック単体Ｂとで囲み、これらを連結部材単体Ｅで周方向に連結して固定し、四周の内部には、ブロック単体Ｃ、Ｄを敷き詰め、階層全体の表面が略平面状になるようにして、形成される。同様にして形成される第２の階層を第１の階層の上部に重ね、順次、所要数の階層を上下に重ねて、ブロック足場１を形成する。【選択図】図７
2010043463.tif 000002
【特許請求の範囲】
【請求項１】
建築現場や、各種イベント等において、各種工事、催し等を行うに際して使用されるブロック足場であって、
前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成されるものであり、
第１の階層は、
四周を、その四隅の各直角を挟む二辺のうちの一辺にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、
前記四周の内部には、ブロック単体Ｃを敷き詰め、その結果生じた隙間には、ブロック単体Ｄを敷き詰めて、隙間が生じないようにし、
階層全体の表面が、略平面状になるようにして、形成され、
第２の階層は、
前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成されて、前記第１の階層の上部に重ねられ、
所要数の階層が、前記のようにして上下に重ねられて、形成された
ことを特徴とするブロック足場。
（１）一方の端面に向かって開口し、上下方向に貫通する連結用凹部と、他方の端面に寄った位置で一方の側面に向かって開口し、上下方向に貫通する同じ形状の連結用凹部とを有し、水平方向に長い直方体形状のブロック単体Ａ。
（２）一方の端面に向かって開口し、上下方向に貫通する連結用凹部と、他方の端面に向かって開口し、上下方向に貫通する同じ形状の連結用凹部とを有し、前記ブロック単体Ａと同一外形寸法を有するブロック単体Ｂ。
（３）いかなる連結用凹部をも有さず、完全直方体形状に形成されて、前記ブロック単体Ａと同一外形寸法を有するブロック単体Ｃ。
（４）いかなる連結用凹部をも有さず、完全直方体形状に形成されて、前記ブロック単体Ａより長さ方向の長さのみが短いブロック単体Ｄ。
（５）前記連結用凹部に嵌合する凸部を両側部にそれぞれ有し、前記ブロック単体Ａの高さよりも高い高さを有する連結部材単体Ｅ。
【請求項２】
前記ブロック単体Ａ〜Ｄ及び前記連結部材単体Ｅは、それぞれの表面に耐久性塗料が塗布され、さらにその上から不燃性塗料が塗布されている
ことを特徴とする請求項１に記載のブロック足場。
【請求項３】
前記ブロック単体Ａの長さ方向の長さとこれと直交する方向の長さとの比は、２対１とされ、
前記ブロック単体Ｄの長さ方向の長さは、前記ブロック単体Ａの長さ方向の長さの２分の１とされた
ことを特徴とする請求項１又は２に記載のブロック足場。
【請求項４】
前記ブロック足場は、階段を備え、
前記階段は、平面視して外形寸法の異なる複数種類のタイプの発泡性合成樹脂材料からなるブロック単体を複数個用いて、階層を重ねて形成されている
ことを特徴とする請求項１ないし３のいずれかに記載のブロック足場。
【請求項５】
建築現場や、各種イベント等において、各種工事、催し等を行うに際して使用されるブロック足場であって、
前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成されるものであり、
第１の階層は、
四周を、その四隅にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、
前記四周の内部には、ブロック単体Ｃを敷き詰め、その結果生じた隙間には、ブロック単体Ｄを敷き詰めて、隙間が生じないようにし、
階層全体の表面が、略平面状になるようにして、形成され、
第２の階層は、
前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成されて、前記第１の階層の上部に重ねられ、
所要数の階層が、前記のようにして上下に重ねられて、形成された
ことを特徴とするブロック足場。
（１）ブロック単体Ｂの長さ方向の中央部が水平面内で直角に折り曲げられて形成される形状のブロック単体Ａ。
（２）一方の端面に向かって開口し、上下方向に貫通する連結用凹部と、他方の端面に向かって開口し、上下方向に貫通する同じ形状の連結用凹部とを有し、水平方向に長い直方体形状のブロック単体Ｂ。
（３）いかなる連結用凹部をも有さず、完全直方体形状に形成されて、前記ブロック単体Ｂと同一外形寸法を有するブロック単体Ｃ。
（４）いかなる連結用凹部をも有さず、完全直方体形状に形成されて、前記ブロック単体Ｂより長さ方向の長さのみが短いブロック単体Ｄ。
（５）前記連結用凹部に嵌合する凸部を両側部にそれぞれ有し、前記ブロック単体Ｂの高さよりも高い高さを有する連結部材単体Ｅ。
【請求項６】
周方向もしくは上下方向に隣接する前記ブロック単体Ａと前記ブロック単体Ｂ、前記ブロック単体Ａ同士及び前記ブロック単体Ｂ同士を、それらブロック単体同士の接合個所で外方から粘着テープで接合して、それらブロック単体同士を周方向及び上下方向にさらに連結して固定した
ことを特徴とする請求項１ないし５のいずれかに記載のブロック足場。
【請求項７】
建築現場や、各種イベント等において、各種工事、催し等を行うに際して使用されるブロック足場の形成方法であって、
前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成するものであり、
第１の階層は、
四周を、その四隅の各直角を挟む二辺のうちの一辺にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、
前記四周の内部には、ブロック単体Ｃを敷き詰め、その結果生じた隙間には、ブロック単体Ｄを敷き詰めて、隙間が生じないようにし、
階層全体の表面が、略平面状になるようにして、形成し、
第２の階層は、
前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成して、前記第１の階層の上部に重ね、
所要数の階層を、前記のようにして上下に重ねて、形成する
ことを特徴とするブロック足場の形成方法。
（１）一方の端面に向かって開口し、上下方向に貫通する連結用凹部と、他方の端面に寄った位置で一方の側面に向かって開口し、上下方向に貫通する同じ形状の連結用凹部とを有し、水平方向に長い直方体形状のブロック単体Ａ。
（２）一方の端面に向かって開口し、上下方向に貫通する連結用凹部と、他方の端面に向かって開口し、上下方向に貫通する同じ形状の連結用凹部とを有し、前記ブロック単体Ａと同一外形寸法を有するブロック単体Ｂ。
（３）いかなる連結用凹部をも有さず、完全直方体形状に形成されて、前記ブロック単体Ａと同一外形寸法を有するブロック単体Ｃ。
（４）いかなる連結用凹部をも有さず、完全直方体形状に形成されて、前記ブロック単体Ａより長さ方向の長さのみが短いブロック単体Ｄ。
（５）前記連結用凹部に嵌合する凸部を両側部にそれぞれ有し、前記ブロック単体Ａの高さよりも高い高さを有する連結部材単体Ｅ。
【請求項８】
建築現場や、各種イベント等において、各種工事、催し等を行うに際して使用されるブロック足場の形成方法であって、
前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成するものであり、
第１の階層は、
四周を、その四隅にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、
前記四周の内部には、ブロック単体Ｃを敷き詰め、その結果生じた隙間には、ブロック単体Ｄを敷き詰めて、隙間が生じないようにし、
階層全体の表面が、略平面状になるようにして、形成し、
第２の階層は、
前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成して、前記第１の階層の上部に重ね、
所要数の階層を、前記のようにして上下に重ねて、形成した
ことを特徴とするブロック足場の形成方法。
（１）ブロック単体Ｂの長さ方向の中央部が水平面内で直角に折り曲げられて形成される形状のブロック単体Ａ。
（２）一方の端面に向かって開口し、上下方向に貫通する連結用凹部と、他方の端面に向かって開口し、上下方向に貫通する同じ形状の連結用凹部とを有し、水平方向に長い直方体形状のブロック単体Ｂ。
（３）いかなる連結用凹部をも有さず、完全直方体形状に形成されて、前記ブロック単体Ｂと同一外形寸法を有するブロック単体Ｃ。
（４）いかなる連結用凹部をも有さず、完全直方体形状に形成されて、前記ブロック単体Ｂより長さ方向の長さのみが短いブロック単体Ｄ。
（５）前記連結用凹部に嵌合する凸部を両側部にそれぞれ有し、前記ブロック単体Ｂの高さよりも高い高さを有する連結部材単体Ｅ。
【請求項９】
周方向もしくは上下方向に隣接する前記ブロック単体Ａと前記ブロック単体Ｂ、前記ブロック単体Ａ同士及び前記ブロック単体Ｂ同士を、それらブロック単体同士の接合個所で外方から粘着テープで接合して、それらブロック単体同士を周方向及び上下方向にさらに連結して固定した
ことを特徴とする請求項７又は８に記載のブロック足場の形成方法。
【発明の詳細な説明】
【技術分野】
【０００１】
本願の発明は、特に建築現場や、各種イベント等において、各種工事、催し等を行うに際して使用されるブロック足場及びその形成方法に関する。
【背景技術】
【０００２】
従来、建築現場で、各種工事を行うに際しては、最も簡単には、離れて設置された２台の脚立間に踏み板を渡架し、作業者は、この踏み板の上に乗って移動しながら、これらの工事を行っている。また、室内が比較的広くなり、工事量も、それに伴って比較的多くなると、折り畳み式のテーブル状足場が、複数台敷き詰められて、同様の工事のために用いられている。この足場は、四隅の脚が、折り畳み式になっており、かつ、高さ調節自在である。また、足が乗る板状部分は、完全な板からなるものではなく、多くは、菱形模様や碁盤目模様に仕上げられ金属製の網状台であって、作業者の数人がその上に乗っても潰れないように頑丈に作られている。
【０００３】
しかしながら、前者の場合には、踏み板がずれたり、振動したりして、足場が安定せず、このため、作業を一様に仕上げられなかったり、作業者が床上に落下したりして、作業の完全と安全とを期す点からは、使いづらいものであった。また、後者の場合には、前者の場合に比べて、作業の完全と安全とを期す点で、より優れたものといえるが、個体サイズが大きく、重い（例えば、ある市販のものでは、縦×横×高さが１５００ｍｍ×１０００ｍｍ×（８００〜１２００）ｍｍ、重さが４７ｋｇとなっている。）ため、（１）搬入や移動が大変であり、手間が掛かる。（２）組立が、一人では大変であり、２名必要である。（３）搬入、移動、組立といった足場の取り扱い作業全般が、年少者、高齢者、女性には無理な作業となる。（４）鋼製であるので、手を詰めたり、打撲したり、小さな怪我をし易く、また、床や壁面を傷つけ易い。（５）壁との間や隣接する台との間に隙間ができ易いので、依然として、落下の危険が残る。（６）狭い部屋での使用ができない、といった様々な問題が残っていた。
【０００４】
また、近年、発泡性の合成樹脂材料からなるブロック単体を複数個使用して所要の足場を得るアイデアは、いくつか提案されている（引用文献１〜３）。
しかしながら、引用文献１に記載のものは、そのようなブロック単体を、連結部材を備えた袋体内に収容して、これを上下方向に積み重ね、上下の袋体の連結部材同士を連結することにより、一体構造物としてのブロック足場（踏台）を得るようにしたものであり、言わば、脚立をブロック構造体により得たというものであり、広い室内において、足場を移動せずに工事の続行を可能にする類のものではない。
【０００５】
また、引用文献２に記載のものは、引用文献１に記載のもののように袋体を有するものではないが、連結構造をそれ自体に備えたブロック単体を複数個敷き詰め、積み重ねて、移動容易な組合せ式足場台としたものであり、引用文献１に記載のものの延長上に位置する類のものに過ぎない。
【０００６】
さらに、引用文献３に記載のものは、そのようなブロック単体を複数個、階段上に配設し、それらをジョイント等で固定することにより、組立、解体が容易で、壁面等を傷つけることのない階段用仮設足場を得るようにしたものであり、階段用の足場として、特定の用途に向けられたものである。
【特許文献１】実開平０３−０３３１４２号公報
【特許文献２】特開平２００１−１０７５５４号公報
【特許文献３】特開平１０−０４６８０２号公報
【発明の開示】
【発明が解決しようとする課題】
【０００７】
本願の発明は、従来の建築工事用足場が有する前記のような種々の問題点を解決することを課題とするものであり、少子高齢化が進み、建設業における就労者が減少している状況を踏まえ、建築現場や、各種イベント等において、足場を移動することなく工事を続行することができ、軽量で、搬入、搬出、移動、組立、解体が容易で、人体や壁面等を傷つけることがなく、大小室内に柔軟に対応可能で、壁との間や隣接するブロック間に隙間が生ずることがなく、年少者、高齢者、女性でもそれらの作業が容易で、耐久性と不燃性とに優れた、ブロック足場を提供することを課題とする。
【課題を解決するための手段】
【０００８】
前記のような課題は、本願の各請求項に記載された次のような発明により解決される。  すなわち、その請求項１に記載された発明は、建築現場や、各種イベント等において、各種工事、催し等を行うに際して使用されるブロック足場であって、前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成されるものであり、第１の階層は、四周を、その四隅の各直角を挟む二辺のうちの一辺にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、前記四周の内部には、ブロック単体Ｃを敷き詰め、その結果生じた隙間には、ブロック単体Ｄを敷き詰めて、隙間が生じないようにし、階層全体の表面が、略平面状になるようにして、形成され、第２の階層は、前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成されて、前記第１の階層の上部に重ねられ、所要数の階層が、前記のようにして上下に重ねられて、形成されたことを特徴とするブロック足場である。
（１）一方の端面に向かって開口し、上下方向に貫通する連結用凹部と、他方の端面に寄った位置で一方の側面に向かって開口し、上下方向に貫通する同じ形状の連結用凹部とを有し、水平方向に長い直方体形状のブロック単体Ａ。
（２）一方の端面に向かって開口し、上下方向に貫通する連結用凹部と、他方の端面に向かって開口し、上下方向に貫通する同じ形状の連結用凹部とを有し、前記ブロック単体Ａと同一外形寸法を有するブロック単体Ｂ。
（３）いかなる連結用凹部をも有さず、完全直方体形状に形成されて、前記ブロック単体Ａと同一外形寸法を有するブロック単体Ｃ。
（４）いかなる連結用凹部をも有さず、完全直方体形状に形成されて、前記ブロック単体Ａより長さ方向の長さのみが短いブロック単体Ｄ。
（５）前記連結用凹部に嵌合する凸部を両側にそれぞれ有し、前記ブロック単体Ａの高さよりも高い高さを有する連結部材単体Ｅ。
【０００９】
請求項１に記載された発明は、前記のように構成されているので、年少者、高齢者、女性を含む作業者は、ブロック足場を構成する要素をなすブロック単体Ａ〜Ｄや連結部材単体Ｅを簡単かつ容易に搬入、搬出、移動して、ブロック足場を組み立て、また、解体することができ、しかも、一人でも、これらの作業をすることが可能になり、足場の取り扱い作業全般が、誰にでも簡単かつ容易な作業となる。
また、各ブロック単体や連結部材単体の材料として、発泡性合成樹脂材料が使用されるので、手を詰めたり、打撲したり、小さな怪我をし易いといった問題が生ぜず、建設業における労働災害の低減に寄与し、床や壁面を傷つけることもない。
さらに、ブロック足場が、複数のブロック単体Ａ〜Ｄを敷き詰め、積み重ねて形成されるので、壁との間や隣接するブロック単体同士の間に隙間ができにくく、落下の危険が解消されるとともに、室の大小（広狭、高低）に応じて柔軟に対応することができる。
【００１０】
また、その請求項２に記載された発明は、請求項１に記載のブロック足場において、そのブロック単体Ａ〜Ｄ及び連結部材単体Ｅが、それぞれの表面に耐久性塗料が塗布され、さらにその上から不燃性塗料が塗布されていることを特徴としている。
【００１１】
請求項２に記載された発明は、この構成により、ブロック足場の強度及び耐久性を向上させることができるとともに、溶接や配線工事等に際しても、足場から火災が発生する危険を解消することができる。
【００１２】
また、その請求項３に記載された発明は、請求項１又は２に記載のブロック足場において、そのブロック単体Ａの長さ方向の長さとこれと直交する方向の長さとの比が、２対１とされ、ブロック単体Ｄの長さ方向の長さが、ブロック単体Ａの長さ方向の長さの２分の１とされたことを特徴としている。
【００１３】
請求項３に記載された発明は、この構成により、ブロック単体Ａ〜Ｃの長さ方向の長さとこれと直交する方向の長さとの比が、和式畳み１畳のそれと同じになり、また、ブロック単体Ｄの長さ方向の長さとこれと直交する方向の長さとの比が、和式畳み半畳のそれと同じになるので、壁との間や隣接するブロック単体同士の間に隙間ができないようにして室内にブロック単体Ａ〜Ｄを敷き詰め、ブロック足場を構築する作業がきわめて容易になる。
【００１４】
さらに、その請求項４に記載された発明は、請求項１ないし３のいずれかに記載のブロック足場において、そのブロック足場が、階段を備え、該階段は、平面視して外形寸法の異なる複数種類のタイプの発泡性合成樹脂材料からなるブロック単体を複数個用いて、階層を重ねて形成されていることを特徴としている。
【００１５】
請求項４に記載された発明は、この構成により、所要数の階層が上下に重ねられて形成されるブロック足場への昇降に使用される階段を、きわめて容易に形成することができる。
【００１６】
また、その請求項５に記載された発明は、建築現場や、各種イベント等において、各種工事、催し等を行うに際して使用されるブロック足場であって、前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成されるものであり、第１の階層は、四周を、その四隅にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、前記四周の内部には、ブロック単体Ｃを敷き詰め、その結果生じた隙間には、ブロック単体Ｄを敷き詰めて、隙間が生じないようにし、階層全体の表面が、略平面状になるようにして、形成され、第２の階層は、前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成されて、前記第１の階層の上部に重ねられ、所要数の階層が、前記のようにして上下に重ねられて、形成されたことを特徴とするブロック足場である。
（１）ブロック単体Ｂの長さ方向の中央部が水平面内で直角に折り曲げられて形成される形状のブロック単体Ａ。
（２）一方の端面に向かって開口し、上下方向に貫通する連結用凹部と、他方の端面に向かって開口し、上下方向に貫通する同じ形状の連結用凹部とを有し、水平方向に長い直方体形状のブロック単体Ｂ。
（３）いかなる連結用凹部をも有さず、完全直方体形状に形成されて、前記ブロック単体Ｂと同一外形寸法を有するブロック単体Ｃ。
（４）いかなる連結用凹部をも有さず、完全直方体形状に形成されて、前記ブロック単体Ｂより長さ方向の長さのみが短いブロック単体Ｄ。
（５）前記連結用凹部に嵌合する凸部を両側部にそれぞれ有し、前記ブロック単体Ｂの高さよりも高い高さを有する連結部材単体Ｅ。
【００１７】
請求項５に記載された発明は、前記のように構成されているので、ブロック単体Ａのみがやや異形形状を有し、製造がやや複雑になるが、この点を除いては、請求項１に記載された発明が奏する前記のような効果と同様の効果を奏することができる。
【００１８】
また、その請求項６に記載された発明は、請求項１ないし５のいずれかに記載のブロック足場において、周方向もしくは上下方向に隣接するブロック単体Ａとブロック単体Ｂ、ブロック単体Ａ同士及びブロック単体Ｂ同士を、それらブロック単体同士の接合個所で外方から粘着テープで接合して、それらブロック単体同士を周方向及び上下方向にさらに連結して固定したことを特徴としている。
【００１９】
請求項６に記載された発明は、この構成により、ブロック単体同士の連結を強固にして、ブロック足場全体を堅牢なものに仕上げることができる。
【００２０】
さらに、その請求項７に記載された発明は、建築現場や、各種イベント等において、各種工事、催し等を行うに際して使用されるブロック足場の形成方法であって、前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成するものであり、第１の階層は、四周を、その四隅の各直角を挟む二辺のうちの一辺にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、前記四周の内部には、ブロック単体Ｃを敷き詰め、その結果生じた隙間には、ブロック単体Ｄを敷き詰めて、隙間が生じないようにし、階層全体の表面が、略平面状になるようにして、形成し、第２の階層は、前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成して、前記第１の階層の上部に重ね、所要数の階層を、前記のようにして上下に重ねて、形成することを特徴とするブロック足場の形成方法である。
（１）一方の端面に向かって開口し、上下方向に貫通する連結用凹部と、他方の端面に寄った位置で一方の側面に向かって開口し、上下方向に貫通する同じ形状の連結用凹部とを有し、水平方向に長い直方体形状のブロック単体Ａ。
（２）一方の端面に向かって開口し、上下方向に貫通する連結用凹部と、他方の端面に向かって開口し、上下方向に貫通する同じ形状の連結用凹部とを有し、前記ブロック単体Ａと同一外形寸法を有するブロック単体Ｂ。
（３）いかなる連結用凹部をも有さず、完全直方体形状に形成されて、前記ブロック単体Ａと同一外形寸法を有するブロック単体Ｃ。
（４）いかなる連結用凹部をも有さず、完全直方体形状に形成されて、前記ブロック単体Ａより長さ方向の長さのみが短いブロック単体Ｄ。
（５）前記連結用凹部に嵌合する凸部を両側部にそれぞれ有し、前記ブロック単体Ａの高さよりも高い高さを有する連結部材単体Ｅ。
【００２１】
請求項７に記載された発明は、前記のように構成されているので、その方法を実施することにより、請求項１に記載された発明が奏する前記のような効果と同様の効果を奏することができる。
【００２２】
また、その請求項８に記載された発明は、建築現場や、各種イベント等において、各種工事、催し等を行うに際して使用されるブロック足場の形成方法であって、前記ブロック足場は、少なくとも次の（１）〜（５）の５種類のタイプの、軽量で強度の強い発泡性合成樹脂材料からなるブロック単体及び連結部材単体をそれぞれ複数個用いて、階層を重ねて形成するものであり、第１の階層は、四周を、その四隅にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、前記四周の内部には、ブロック単体Ｃを敷き詰め、その結果生じた隙間には、ブロック単体Ｄを敷き詰めて、隙間が生じないようにし、階層全体の表面が、略平面状になるようにして、形成し、第２の階層は、前記第１の階層を形成するために使用された複数の前記連結部材単体Ｅの前記第１の階層より上方に突出する部分を、それぞれの部分がある周方向位置で同じように連結部材として使用しつつ、前記第１の階層と同じようにして形成して、前記第１の階層の上部に重ね、所要数の階層を、前記のようにして上下に重ねて、形成したことを特徴とするブロック足場の形成方法である。
（１）ブロック単体Ｂの長さ方向の中央部が水平面内で直角に折り曲げられて形成される形状のブロック単体Ａ。
（２）一方の端面に向かって開口し、上下方向に貫通する連結用凹部と、他方の端面に向かって開口し、上下方向に貫通する同じ形状の連結用凹部とを有し、水平方向に長い直方体形状のブロック単体Ｂ。
（３）いかなる連結用凹部をも有さず、完全直方体形状に形成されて、前記ブロック単体Ｂと同一外形寸法を有するブロック単体Ｃ。
（４）いかなる連結用凹部をも有さず、完全直方体形状に形成されて、前記ブロック単体Ｂより長さ方向の長さのみが短いブロック単体Ｄ。
（５）前記連結用凹部に嵌合する凸部を両側部にそれぞれ有し、前記ブロック単体Ｂの高さよりも高い高さを有する連結部材単体Ｅ。
【００２３】
請求項８に記載された発明は、前記のように構成されているので、その方法を実施することにより、請求項５に記載された発明が奏する前記のような効果と同様の効果を奏することができる。
【００２４】
さらに、また、その請求項９に記載された発明は、請求項７又は８に記載のブロック足場の形成方法において、周方向もしくは上下方向に隣接するブロック単体Ａとブロック単体Ｂ、ブロック単体Ａ同士及びブロック単体Ｂ同士を、それらブロック単体同士の接合個所で外方から粘着テープで接合して、それらブロック単体同士を周方向及び上下方向にさらに連結して固定したことを特徴としている。
【００２５】
請求項９に記載された発明は、この構成により、ブロック単体同士の連結を強固にして、ブロック足場全体を堅牢なものに仕上げることができる。
【発明の効果】
【００２６】
前記のとおり、本願の発明のブロック足場及びその形成方法によれば、年少者、高齢者、女性を含む作業者は、ブロック足場を構成する要素をなすブロック単体Ａ〜Ｄや連結部材単体Ｅを簡単かつ容易に搬入、搬出、移動して、ブロック足場を組み立て、また、解体することができ、しかも、一人でも、これらの作業をすることが可能になり、足場の取り扱い作業全般が、誰にでも簡単かつ容易な作業となる。
また、各ブロック単体や連結部材単体の材料として、発泡性合成樹脂材料が使用されるので、手を詰めたり、打撲したり、小さな怪我をし易いといった問題が生ぜず、床や壁面を傷つけることもない。
さらに、ブロック足場が、複数のブロック単体Ａ〜Ｄを敷き詰め、積み重ねて構成されるので、壁との間や隣接するブロック単体同士の間に隙間ができにくく、落下の危険が解消されるとともに、室の大小（広狭、高低）に応じて柔軟に対応することができる。
【００２７】
また、ブロック単体Ａ〜Ｄ及び連結部材単体Ｅが、それぞれの表面に耐久性塗料が塗布され、さらにその上から不燃性塗料が塗布される場合には、ブロック足場の強度及び耐久性を向上させることができるとともに、溶接や配線工事等に際しても、足場から火災が発生する危険を解消することができる。
【００２８】
また、ブロック単体Ａの長さ方向の長さとこれと直交する方向の長さとの比が、２対１とされ、ブロック単体Ｄの長さ方向の長さが、ブロック単体Ａの長さ方向の長さの２分の１とされる場合には、ブロック単体Ａ〜Ｃの長さ方向の長さとこれと直交する方向の長さとの比が、和式畳み１畳のそれと同じになり、また、ブロック単体Ｄの長さ方向の長さとこれと直交する方向の長さとの比が、和式畳み半畳のそれと同じになるので、壁との間や隣接するブロック単体同士の間に隙間ができないようにして室内にブロック単体Ａ〜Ｄを敷き詰め、ブロック足場を構築する作業がきわめて容易になる。
【００２９】
さらに、ブロック足場が、階段を備え、該階段は、平面視して外形寸法の異なる複数種類のタイプの発泡性合成樹脂材料からなるブロック単体を複数個用いて、階層を重ねて形成される場合には、所要数の階層が上下に重ねられて形成されるブロック足場への昇降に使用される階段を、きわめて容易に形成することができる。
【００３０】
また、周方向もしくは上下方向に隣接するブロック単体Ａとブロック単体Ｂ、ブロック単体Ａ同士及びブロック単体Ｂ同士を、それらブロック単体同士の接合個所で外方から粘着テープで接合して、それらブロック単体同士を周方向及び上下方向にさらに連結して固定する場合には、ブロック単体同士の連結を強固にして、ブロック足場全体を堅牢なものに仕上げることができる。
その他、前記したような種々の効果を奏することができる。
【発明を実施するための最良の形態】
【００３１】
建築現場や、各種イベント等において、各種工事、催し等を行うに際して使用されるブロック足場を、次のようにして形成する。
このブロック足場は、少なくとも、下記（１）〜（５）の５種類のタイプの、軽量で強度の強い発泡性合成樹脂材料からなるブロック単体及び連結部材単体をそれぞれ複数個用いて、階層を重ねて形成されるものであり、この場合に、第１の階層は、四周を、その四隅の各直角を挟む二辺のうちの一辺にのみブロック単体Ａを姿勢を揃えて配し、残りの部分には全てブロック単体Ｂを配するようにして、ブロック単体Ａとブロック単体Ｂとで囲み、隣接するブロック単体Ａとブロック単体Ｂもしくはブロック単体Ｂ同士を連結部材単体Ｅで周方向に連結して固定するとともに、該四周の内部には、ブロック単体Ｃを敷き詰め、その結果生じた隙間には、ブロック単体Ｄを敷き詰めて、隙間が生じないようにし、階層全体の表面が、略平面状になるようにして、形成するものとする。
【００３２】
また、第２の階層は、第１の階層を形成するために使用された複数の前記連結部材単体Ｅの第１の階層より上方に突出する部分を、それぞれの部分がある周方向位置で同じように連結部材として使用しつつ、第１の階層と同じようにして形成することとし、これを第１の階層の上部に重ねることとする。
そして、所要数の階層を、前記のようにして上下に重ねて、ブロック足場を形成することとする。
【００３３】
なお、このブロック足場においては、その周方向もしくは上下方向に隣接する前記ブロック単体Ａと前記ブロック単体Ｂ、前記ブロック単体Ａ同士及び前記ブロック単体Ｂ同士を、それらブロック単体同士の接合個所で外方から粘着テープで接合して、それらブロック単体同士を周方向及び上下方向にさらに連結して固定するようにする。
【００３４】
ここで、前記した（１）〜（５）の５種類のタイプは、次のとおりである。
（１）一方の端面に向かって開口し、上下方向に貫通する連結用凹部と、他方の端面に寄った位置で一方の側面に向かって開口し、上下方向に貫通する同じ形状の連結用凹部とを有し、水平方向に長い直方体形状のブロック単体Ａ。
（２）一方の端面に向かって開口し、上下方向に貫通する連結用凹部と、他方の端面に向かって開口し、上下方向に貫通する同じ形状の連結用凹部とを有し、前記ブロック単体Ａと同一外形寸法を有するブロック単体Ｂ。
（３）いかなる連結用凹部をも有さず、完全直方体形状に形成されて、前記ブロック単体Ａと同一外形寸法を有するブロック単体Ｃ。
（４）いかなる連結用凹部をも有さず、完全直方体形状に形成されて、前記ブロック単体Ａより長さ方向の長さのみが短いブロック単体Ｄ。
（５）前記連結用凹部に嵌合する凸部を両側部にそれぞれ有し、前記ブロック単体Ａの高さよりも高い高さを有する連結部材単体Ｅ。
【００３５】
なお、ブロック単体Ａ〜Ｄ及び連結部材単体Ｅには、それぞれの表面に耐久性塗料を塗布することとし、さらにその上から不燃性塗料を塗布することとする
【実施例１】
【００３６】
次に、本願の発明の一実施例（実施例１）について説明する。
図１は、本実施例１のブロック足場を形成するための施工の第１工程を示す図であって、（ａ）は平面図、（ｂ）は最奥部の立面図、図２は、同じく第２工程を示す図であって、（ａ）は平面図、（ｂ）は最前部の立面図、図３は、同じく第３工程を示す図であって、（ａ）は平面図、（ｂ）は最奥部の立面図、図４は、同じく第４工程を示す図であって、（ａ）は平面図、（ｂ）は最前部の立面図、図５は、同じく第５工程を示す図であって、（ａ）は平面図、（ｂ）は立面図、図６は、同じく第６工程を示す図であって、（ａ）は平面図、（ｂ）は最前部の立面図、図７は、同ブロック足場の仕上がり状態を示す図であって、（ａ）は平面図、（ｂ）は立面図、図８は、同ブロック足場を構成する単位をなすブロック単体Ａを示す図であって、（ａ）は平面図、（ｂ）は正面図、（ｃ）は左側面図、（ｄ）は右側面図、（ｅ）は背面図、図９は、同じくブロック単体Ｂを示す図であって、（ａ）は平面図、（ｂ）は正面図、（ｃ）は左側面図、（ｄ）は右側面図、（ｅ）は背面図、図１０は、同じくブロック単体Ｃを示す図であって、（ａ）は平面図、（ｂ）は正面図及び背面図、（ｃ）は左側面図及び右側面図、図１１は、同じくブロック単体Ｄを示す図であって、（ａ）は平面図、（ｂ）は正面図及び背面図、（ｃ）は左側面図及び右側面図、図１２は、同じく連結部材単体Ｅを示す図であって、（ａ）は平面図、（ｂ）は正面図及び背面図、（ｃ）は左側面図及び右側面図、図１３は、同ブロック足場が備える階段を示す図であって、（ａ）は平面図、（ｂ）は正面図、（ｃ）は左側面図、（ｄ）は右側面図である。
【００３７】
本実施例１のブロック足場は、建築現場や、各種イベント等において、建造物内の比較的高所での壁クロス貼り、塗装、溶接、付帯設備取付け等の各種工事を行うに際して好適に使用されるものであり、この場合の建造物内には、家屋内、オフイス内、工場内、特設ステージ内等、各種の建造物内があり得る。このブロック足場は、以下に詳細に説明されるような各種のタイプの、軽量で、強度の強い発泡性合成樹脂材料からなるブロック単体と、これらブロック単体相互間を連結する連結部材単体とをそれぞれ複数個用いて、これらブロック単体を敷き詰め、連結部材単体で連結し、階層を重ねて、形成されるものであり、図７には、特にこのブロック足場１が２つの階層を上下に重ねて形成される場合の仕上がり状態が、平面図と立面図とにより示されている。
次に、このような仕上がり状態に仕上げられて行く同ブロック足場１の施工工程を、順を追って説明するが、それに先立ち、同ブロック足場１の形成に使用される各種ブロック単体と連結部材単体とについて説明しておく。
【００３８】
本実施例１のブロック足場１の形成に使用されるブロック単体には、次の４つのタイプがある。
先ず、第１のタイプのブロック単体１０（ブロック単体Ａ）は、図８（ａ）〜（ｅ）に示されるように、水平方向に長い直方体形状のブロック単体からなり、その一方の端面１１に向かっては、連結用凹部１５が、上下方向に貫通するようにして開口形成されており、また、他方の端面１２に寄った位置にあって、一方の側面１３に向かっては、同じ形状の連結用凹部１６が、上下方向に貫通するようにして開口形成されている。連結用凹部１５、１６は、奥部が角型形状にくり抜かれ、そこと外部とがストレートの通路で繋がれた形状（角型のＨ形ブロックを半割にした形状）をなしている。このタイプのブロック単体Ａの寸法は、およそ、縦（長さ方向に長い辺）×横×高さが１０００×５００×（４００〜５００）（単位ｍｍ）であり、その比が２：１：(０．８〜１)とされるのが好ましい。このような寸法のブロック単体Ａは、その平面視した形状が、和室用の１畳畳みと相似の長方形形状をなしている。このタイプのブロック単体Ａは、ブロック足場１の四周の直角の隅部に使用される。なお、符号１４は、ブロック単体１０の上面を示す。
【００３９】
次に、第２のタイプのブロック単体２０（ブロック単体Ｂ）は、図９（ａ）〜（ｅ）に示されるように、一方の端面２１に向かっては、連結用凹部２５が、上下方向に貫通するようにして開口形成されており、また、他方の端面２２に向かっては、同じ形状の連結用凹部２６が、上下方向に貫通するようにして開口形成されている。そして、その外形寸法は、ブロック単体Ａと同一にされている。このタイプのブロック単体Ｂは、ブロック足場１の四周にあって、ブロック単体Ａが配されない全ての個所に使用される。なお、符号２４は、ブロック単体２０の上面を示す。
【００４０】
次に、第３のタイプのブロック単体３０（ブロック単体Ｃ）は、図１０（ａ）〜（ｃ）に示されるように、いかなる連結用凹部をも有しておらず、完全直方体形状に形成されていて、その外形寸法は、ブロック単体Ａと同一にされている。このタイプのブロック単体Ｃは、ブロック足場１の四周の内部に敷き詰めるのに使用される。なお、符号３１、３２、３４は、ブロック単体３０の一方の端面、他方の端面、上面をそれぞれ示す。
【００４１】
最後に、第４のタイプのブロック単体４０（ブロック単体Ｄ）は、図１１（ａ）〜（ｃ）に示されるように、いかなる連結用凹部をも有しておらず、完全直方体形状に形成されていて、その外形寸法は、ブロック単体Ａより長さ方向の長さのみが短くされて、ブロック単体Ａの長さ方向の長さの２分の１にされている。その結果、このブロック単体Ｄは、和室用の半畳畳みと相似の平面視正方形の形状をなしている。このタイプのブロック単体Ｄは、ブロック単体Ｃでブロック足場１の四周の内部を敷き詰めた結果生じた隙間を埋めるように敷き詰めるのに使用される。なお、符号４１、４２、４４は、ブロック単体４０の一方の端面、他方の端面、上面をそれぞれ示す。
【００４２】
また、本実施例１のブロック足場１の形成に使用される連結部材単体には、１つのタイプのみが用いられている。
このタイプの連結部材単体５０（連結部材単体Ｅ）は、図１２（ａ）〜（ｃ）に示されるように、前記したブロック単体Ａ、Ｂの連結用凹部１５、１６、２５、２６に嵌合する同形の凸部５１、５２を両側部にそれぞれ有し、ブロック単体Ａの高さよりも高い高さを有するようにして形成されている。凸部５１、５２は、それぞれ、円形の棒状部と角形の細長板状部とが接続された形状をなすようにして形成されている。この連結部材単体Ｅの高さは、ブロック足場１が２つ又は３つの階層を重ねて形成される場合には、ブロック単体Ａの高さの１．５倍程度にされるのが好ましい。その理由については、後述する。ブロック足場１が、このくらいの階層を重ねて形成されるのであれば、通常の使用には十分間に合う。
【００４３】
このようなタイプからなる、本実施例１のブロック足場１の形成に使用されるブロック単体Ａ〜Ｄ及び連結部材単体Ｅは、それらの表面にウレタン等の耐久性塗料が塗布されており、さらに、その上からエレホン等の不燃性塗料が塗布されている。これにより、ブロック単体Ａ〜Ｄ及び連結部材単体Ｅの耐久性が向上するとともに、不燃性が向上して、室内で溶接工事や配線工事等が行われる場合にも、火災発生の虞が大きく低減される。
【００４４】
次に、このようにして形成された４つのタイプのブロック単体Ａ〜Ｄと、これらブロック単体相互間を連結する連結部材単体Ｅとをそれぞれ複数個用いて、図７に示されるようなブロック足場１に仕上げて行く施工工程を、順を追って説明する。
なお、以下において、ブロック単体Ａ〜Ｄ、連結部材単体Ｅには、数字符号１０〜４０、５０を割り当てており、これらをブロック単体１０〜４０、連結部材単体５０と記す場合もある。
【００４５】
先ず、第１の階層（１階）を仕上げる施工工程を、図１及び図２を参照して、説明する。
（施工工程１）
先ず、図１(ａ)に示されるように、１階の四周のうちの手前の一周を除く残り三周の三隅の各直角を挟む二辺のうちの一辺にのみ、ブロック単体１０（ブロック単体Ａ）を、四周を巡る方向に姿勢を揃えて配する。次に、三周の残りの部分には、例えば、イ、ロ、ハの矢印で示すような手順により、全てブロック単体２０（ブロック単体Ｂ）を配する。このようにして、三周をブロック単体１０とブロック単体２０とで囲んでから、それらの連結用凹部１５、１６、２５、２６に連結部材単体５０（連結部材単体Ｅ）の凸部５１、５２をそれぞれ嵌入させて、これら隣接するブロック単体１０とブロック単体２０もしくはブロック単体２０同士を連結部材単体５０で周方向に連結して固定する。この状態を三周の最奥部で正面視した図が、図１（ｂ）である。連結部材単体５０は、ブロック単体１０、ブロック単体２０の各上面１４、２４よりそれらの高さの半分ほど上方に突出している。本実施例１の場合、三周の最奥部に配されたブロック単体１０とブロック単体２０との総数は、８個であり、連結部材単体５０の総数も、８個である。
【００４６】
（施工工程２）
次に、このようにしてブロック単体１０とブロック単体２０とで囲まれた三周の内部には、図２(ａ)に示されるように、ブロック単体３０（ブロック単体Ｃ）を敷き詰め、その結果生じた隙間（図２(ａ)の右下隅部）には、ブロック単体４０（ブロック単体Ｄ）を敷き詰めて、全体に隙間が生じないようにする。三周の内部にブロック単体３０を敷き詰めるのには、各種の方法があるが、どの方法が採られても良い。このような、ブロック単体３０とブロック単体４０との三周内部への敷き詰めは、単に敷き詰めるだけであり、隣接するブロック単体相互間の連結部材は、何ら必要ないものである。このようにして三周の内部にブロック単体３０及びブロック単体４０を敷き詰めた状態を手前側から正面視した図が、図２（ｂ）である。
【００４７】
このようにして、１階全体の表面が略平面状になるようにして、１階（第１の階層）を、最前列（手前の一周）の部分を欠いた状態で、形成する。この場合、その１階が室２（図７参照）の内壁から隔てられる距離は、３００ｍｍ以内とされるのが良い。
なお、１階を形成するに際しては、最前列にもブロック単体１０及びブロック単体２０を敷き詰め、連結部材単体５０で連結固定して、１階を完成させてしまう方法もあるが、次工程以降の工程において、１階に昇降するためのスペースを確保しておく観点から、空けておくのが望ましい。
【００４８】
次に、第２の階層（２階）を仕上げる施工工程を、図３及び図４を参照して、説明する。
（施工工程３）
先ず、施工工程１で築かれた、ブロック足場１の１階の三周の上に、図３(ａ)に示されるように、ブロック単体１０（ブロック単体Ａ）とブロック単体２０（ブロック単体Ｂ）とを配し、これらを連結部材単体５０（連結部材単体Ｅ）で連結して固定する。この場合において、これらブロック単体１０とブロック単体２０との配し方は、１階の三周にこれらを配した配し方と全く同じであり、連結部材単体５０による、これら隣接するブロック単体間の連結、固定の仕方も、１階の三周に配された隣接するブロック単体間の連結、固定の仕方と全く同じである。但し、連結部材単体５０については、この場合、１階の三周に配されたブロック単体間を連結、固定した連結部材単体５０の、これらブロック単体より上方に突出する部分が、それぞれの部分がある周方向位置で、同じように連結部材として兼用されている。この状態を三周の最奥部で正面視した図が、図３（ｂ）である。施工工程１において、連結部材単体５０の、１階の三周に配されたブロック単体１０、ブロック単体２０より上方に突出していた部分は、本工程において、２階の三周に配されたブロック単体１０、ブロック単体２０の連結用凹部１５、１６、２５、２６の中にそれぞれ埋没している。
【００４９】
（施工工程４）
次に、このようにしてブロック単体１０とブロック単体２０とで囲まれた２階の三周の内部には、図４(ａ)に示されるように、１階の三周の内部に敷き詰められたブロック単体３０、ブロック単体４０の上部に重ねるようにして、ブロック単体３０（ブロック単体Ｃ）、ブロック単体４０（ブロック単体Ｄ）を敷き詰め、全体に隙間が生じないようにする。図４(ａ)では、この敷き詰め方法は、１階の三周の内部にブロック単体３０、ブロック単体４０を敷き詰めた方法と同じにされているが、必ずしも同じにする必要はない。このようにして２階の三周の内部にブロック単体３０及びブロック単体４０を敷き詰めた状態を手前側から正面視した図が、図４（ｂ）である。
【００５０】
このようにして、２階全体の表面が略平面状になるようにして、２階（第２の階層）を、最前列（手前の一周）の部分を欠いた状態で、形成する。これにより、ブロック足場１の１階部分と２階部分とが、最前列の部分を欠いた状態で、上下に積層されて形成される。
【００５１】
（施工工程５）
次に、このようにして、最前列の部分を欠いた状態で、上下に積層されて形成されたブロック足場１の１階部分と２階部分とに、１階部分の最前列を継ぎ足す工程を行う。
この工程においては、先ず、図５(ａ)に示されるように、１階の四周のうちの手前の一周の一隅（図５(ａ)においては左隅）の直角を挟む二辺のうちの一辺にのみ、ブロック単体１０（ブロック単体Ａ）を、先と同じ四周を巡る方向に姿勢を揃えて配する。次に、手前の一周の残りの部分には、全てブロック単体２０（ブロック単体Ｂ）を配する。このようにして、手前の一周をブロック単体１０とブロック単体２０とで囲んでから、それらと、左右の隅に既に配されているブロック単体２０、ブロック単体１０との連結用凹部１５、１６、２５、２６に連結部材単体５０（連結部材単体Ｅ）の凸部５１、５２をそれぞれ嵌入させて、これら隣接するブロック単体１０とブロック単体２０もしくはブロック単体２０同士を連結部材単体５０で周方向に連結して固定する。この状態を手前の一周の前方で正面視した図が、図５（ｂ）である。連結部材単体５０は、ブロック単体１０、ブロック単体２０の各上面１４、２４よりそれらの高さの半分ほど上方に突出している。本実施例１の場合、手前の一周に配されたブロック単体１０とブロック単体２０との総数は、７個であり、連結部材単体５０の総数は、８個である。
【００５２】
（施工工程６）
次に、このようにして形成された１階部分の最前列に、２階部分の最前列を重ねる工程を行う。
この工程においては、図６(ａ)に示されるように、１階部分の最前列にブロック単体１０とブロック単体２０とを配したと同じようにして、これらと同じブロック単体１０、ブロック単体２０を２階部分の最前列に、それぞれの連結用凹部１５、１６、２５、２６に連結部材単体５０の上方突出部分がそれぞれ嵌入するようにして、配すれば良いものである。この状態を手前の一周の前方で正面視した図が、図６（ｂ）である。この工程の終了により、ブロック足場１が完成する。
【００５３】
このようにして完成したブロック足場１は、その上面に、通常、不燃材料の塗布されたベニヤ板が敷設される。このようにされると、ブロック足場１の強度が向上するとともに、隣接するブロック単体間の隙間やブロック単体１０、ブロック単体２０の連結用凹部１５、１６、２５、２６の空洞部が露出することもなく、床面が平準化されて、作業者が移動し易くなり、転落災害が軽減されて工事を安心して行える。
【００５４】
また、このようにして完成したブロック足場１は、図１６に示されるように、その四周を形成する、周方向もしくは上下方向に隣接するブロック単体１０とブロック単体２０、ブロック単体１０同士及びブロック単体２０同士を、それらブロック単体同士の接合個所で外方から粘着テープ７０を貼り付けて接合して、それらブロック単体同士を周方向及び上下方向にさらに連結して固定するようにするのが望ましく、このようにすると、それらブロック単体同士の連結が強固にされて、ブロック足場１全体を堅牢なものに仕上げることができる。この場合において、粘着テープ７０の貼着は、隣接するブロック単体同士の接合個所の全長に及ぶ必要はなく、断続的に適宜個所に施されるのであっても良く、このようにしても、相当の効果を期待することができる。
【００５５】
また、このブロック足場１は、図７(ａ)、(ｂ)に示されるように、階段６０を備えるものとされている。この階段６０は、図１３(ａ)〜(ｄ)に示されるように、平面視して外形寸法の異なる複数種類（本実施例１の場合、３種類）のタイプの発泡性合成樹脂材料からなる階段用ブロック単体６１、６２、６３を３個用いて、階層を重ねて形成されるものであり、詳細には図示されないが、適宜連結部材を使用して堅固に組み立てられるのが望ましい。このようにして形成された階段６０は、ブロック足場１の側面の適宜個所に、移動自在に付設される。
【００５６】
このようにして完成したブロック足場１は、図７(ｃ)に示されるように、ブロック単体１０〜４０（ブロック単体Ａ〜Ｄ）を、それぞれ８、４４、１４２、２個用い、連結部材単体５０（連結部材単体Ｅ）を２６個用い、昇降タイプ（１）〜（３）と称される階段用ブロック単体６１、６２、６３を３個用いて、形成されている。
【００５７】
（変形例）
本実施例１のブロック足場１において、ブロック単体１０（ブロック単体Ａ）の一方の端面１１と一方の側面１３、ブロック単体２０（ブロック単体Ｂ）の一方の端面２１と他方の端面２２とに、それぞれ上下方向に貫通するようにして開口形成された連結用凹部１５、１６、２５、２６は、角型のＨ形ブロックを半割にした形状にて形成されたが、これに代えて、図１４（ａ）、（ｂ）に示されるように、奥部が円筒形状にくり抜かれ、そこと外部とがストレートの通路で繋がれた形状の連結用凹部１５’、１６’、２５’、２６’が用いられても良い。この場合には、連結部材単体５０（連結部材単体Ｅ）の凸部５１、５２も、連結用凹部１５’、１６’、２５’、２６’に適合するように、凸部５１’、５２’に変形される（図１４（ｃ）参照）。このような変形によっても、同様の効果を奏することができる。
【００５８】
また、本実施例１のブロック足場１において、積み重ねられる階層数は、２階層とされたが、室内空間Ｓの大きさによっては、３階層以上とされる場合も想定され得る。特に、４階層以上とされる場合には、連結部材単体のタイプとして、ブロック単体Ａの高さと同じ高さの連結部材単体５０’（連結部材単体Ｅ’）をもう１つ揃えておくのが望ましい。このようにすれば、連結部材単体５０を、１階と２階に配される隣接するブロック単体間及び最上階とその下の階に配される隣接するブロック単体間の連結固定用に使用し、連結部材単体５０’を、２階から最上階の下の階までの各階に配される隣接するブロック単体間の連結固定用に使用することができ、これにより、ブロック単体１０、ブロック単体２０の連結用凹部１５、１６、２５、２６には、いずれの階に配されるブロック単体１０、ブロック単体２０にあっても、そこに空洞部が生ずることを避けることができる。
【００５９】
本実施例１のブロック足場１は、前記のように構成されているので、次のような効果を奏することができる。
年少者、高齢者、女性を含む作業者は、ブロック足場１を構成する要素をなすブロック単体Ａ〜Ｄ (ブロック単体１０〜４０)や連結部材単体Ｅ（連結部材単体５０）を簡単かつ容易に搬入、搬出、移動して、ブロック足場１を組み立て、また、解体することができ、しかも、一人でも、これらの作業をすることが可能になり、足場の取り扱い作業全般が、誰にでも簡単かつ容易な作業となる。
【００６０】
また、各ブロック単体Ａ〜Ｄや連結部材単体Ｅの材料として、発泡性合成樹脂材料が使用されるので、手を詰めたり、打撲したり、小さな怪我をし易いといった問題が生ぜず、建設業における労働災害の低減に寄与し、床や壁面を傷つけることもない。
さらに、ブロック足場１が、複数のブロック単体Ａ〜Ｄを敷き詰め、積み重ねて形成されるので、壁との間や隣接するブロック単体同士の間に隙間ができにくく、落下の危険が解消されるとともに、室２の大小（広狭、高低）に応じて柔軟に対応することができる。
【００６１】
また、ブロック単体Ａ〜Ｄ及び連結部材単体Ｅの表面に、耐久性塗料がそれぞれ塗布され、さらにその上から不燃性塗料がそれぞれ塗布されているので、ブロック足場１の強度及び耐久性を向上させることができるとともに、溶接や配線工事等に際しても、足場から火災が発生する危険を解消することができる。
【００６２】
さらに、ブロック単体Ａの長さ方向の長さとこれと直交する方向の長さとの比が、２対１とされ、ブロック単体Ｄの長さ方向の長さが、ブロック単体Ａの長さ方向の長さの２分の１とされているので、ブロック単体Ａ〜Ｃの長さ方向の長さとこれと直交する方向の長さとの比が、和式畳み１畳のそれと同じになり、また、ブロック単体Ｄの長さ方向の長さとこれと直交する方向の長さとの比が、和式畳み半畳のそれと同じになるので、壁との間や隣接するブロック単体同士の間に隙間ができないようにして室内にブロック単体Ａ〜Ｄを敷き詰め、ブロック足場１を構築する作業がきわめて容易になる。
【００６３】
また、ブロック足場１が、階段６０を備え、この階段６０は、平面視して外形寸法の異なる複数種類のタイプの発泡性合成樹脂材料からなるブロック単体６１、６２、６３を複数個用いて、階層を重ねて形成されているので、所要数の階層が上下に重ねられて形成されるブロック足場１への昇降に使用される階段を、きわめて容易に形成することができる。
【００６４】
また、周方向もしくは上下方向に隣接するブロック単体Ａとブロック単体Ｂ、ブロック単体Ａ同士及びブロック単体Ｂ同士を、それらブロック単体同士の接合個所で外方から粘着テープで接合して、それらブロック単体同士を周方向及び上下方向にさらに連結して固定するので、ブロック単体同士の連結を強固にして、ブロック足場全体を堅牢なものに仕上げることができる。
【実施例２】
【００６５】
次に、本願の発明の他の実施例（実施例２）について説明する。
図１５は、本実施例２のブロック足場を構成する単位をなすブロック単体Ａを示す図であって、（ａ）は平面図、（ｂ）は正面図、（ｃ）は左側面図、（ｄ）は右側面図、（ｅ）は背面図である。
【００６６】
本実施例２のブロック足場１は、実施例１のブロック足場１と全く同様に、施工工程１〜６を経て形成されるが、実施例１のブロック足場１と比較すると、それらの足場で使用されるブロック単体Ａ（ブロック単体１０）の形状が異なっている。
すなわち、本実施例２のブロック足場１を形成するのに使用されるブロック単体１０は、図１５(ａ)〜(ｅ)に示されるような形状を有している。これに対して、実施例１のブロック足場１を形成するのに使用されるブロック単体１０は、図８(ａ)〜(ｅ)や図１４(ａ)
に示されるような形状を有しており、両者、異なっている。実施例１のブロック単体１０と比べて、このように異なっている本実施例２のブロック単体１０は、実施例１のブロック単体２０（ブロック単体Ｂ、図９(ａ)参照）の長さ方向中央部が水平面内で直角に折り曲げられた形状に形成されているものである。
本実施例２のブロック足場１は、以上の点で実施例１のブロック足場１と異なっているが、その他の点で異なるところはないので、これ以上の詳細な説明を省略する。
【００６７】
本実施例２のブロック足場１は、実施例１のブロック足場１と比べて、その形成に使用されるブロック単体Ａ(ブロック単体１０)のみがやや異形形状を有し、製造がやや複雑になるが、この点を除いては、実施例１のブロック足場１が奏する前記のような効果と同様の効果を奏することができる。
【００６８】
なお、本願の発明は、以上の実施例に限定されず、その要旨を逸脱しない範囲において、種々の変形が可能である。
【図面の簡単な説明】
【００６９】
【図１】本願の発明の一実施例（実施例１）のブロック足場を形成するための施工の第１工程を示す図であって、（ａ）は平面図、（ｂ）は最奥部の立面図である。
【図２】同じく第２工程を示す図であって、（ａ）は平面図、（ｂ）は最前部の立面図である。
【図３】同じく第３工程を示す図であって、（ａ）は平面図、（ｂ）は最奥部の立面図である。
【図４】同じく第４工程を示す図であって、（ａ）は平面図、（ｂ）は最前部の立面図、である。
【図５】同じく第５工程を示す図であって、（ａ）は平面図、（ｂ）は立面図である。
【図６】同じく第６工程を示す図であって、（ａ）は平面図、（ｂ）は最前部の立面図である。
【図７】同ブロック足場の仕上がり状態を示す図であって、（ａ）は平面図、（ｂ）は立面図である。
【図８】同ブロック足場を構成する単位をなすブロック単体Ａを示す図であって、（ａ）は平面図、（ｂ）は正面図、（ｃ）は左側面図、（ｄ）は右側面図、（ｅ）は背面図である。
【図９】同じくブロック単体Ｂを示す図であって、（ａ）は平面図、（ｂ）は正面図、（ｃ）は左側面図、（ｄ）は右側面図、（ｅ）は背面図である。
【図１０】同じくブロック単体Ｃを示す図であって、（ａ）は平面図、（ｂ）は正面図及び背面図、（ｃ）は左側面図及び右側面図である。
【図１１】同じくブロック単体Ｄを示す図であって、（ａ）は平面図、（ｂ）は正面図及び背面図、（ｃ）は左側面図及び右側面図である。
【図１２】同じく連結部材単体Ｅを示す図であって、（ａ）は平面図、（ｂ）は正面図及び背面図、（ｃ）は左側面図及び右側面図である。
【図１３】同ブロック足場が備える階段を示す図であって、（ａ）は平面図、（ｂ）は正面図、（ｃ）は左側面図、（ｄ）は右側面図である。
【図１４】本実施例１のブロック足場の変形例を示す図であって、（ａ）は同ブロック足場を構成する単位をなすブロック単体Ａの平面図、（ｂ）は同じくブロック単体Ｂの平面図、（ｃ）は同じく連結部材単体Ｅの平面図である。
【図１５】本願の発明の他の実施例（実施例２）のブロック足場を構成する単位をなすブロック単体Ａを示す図であって、（ａ）は平面図、（ｂ）は正面図、（ｃ）は左側面図、（ｄ）は右側面図、（ｅ）は背面図である。
【図１６】本実施例１、２のブロック足場の四周を形成する隣接するブロック単体同士の接合個所に、粘着テープを貼着した状態を示す部分側面図である。
【符号の説明】
【００７０】
１…ブロック足場、２…室、１０…ブロック単体（ブロック単体Ａ）、１１…一方の端面、１２…他方の端面、１３…一方の側面、１４…上面、１５、１５’、１６、１６’…連結用凹部、２０…ブロック単体（ブロック単体Ｂ）、２１…一方の端面、２２…他方の端面、２４…上面、２５、２５’、２６、２６’…連結用凹部、３０…ブロック単体（ブロック単体Ｃ）、３１…一方の端面、３２…他方の端面、３４…上面、４０…ブロック単体（ブロック単体Ｄ）、４１…一方の端面、４２…他方の端面、４４…上面、５０、５０’…連結部材単体（連結部材単体Ｅ、Ｅ’）、５１、５１’、５２、５２’…凸部、６０…階段、６１〜６３…階段用ブロック単体、７０…粘着テープ、Ｓ…室内空間。
【図１】
2010043463.tif 000003
【図２】
2010043463.tif 000004
【図３】
2010043463.tif 000005
【図４】
2010043463.tif 000006
【図５】
2010043463.tif 000007
【図６】
2010043463.tif 000008
【図７】
2010043463.tif 000009
【図８】
2010043463.tif 000010
【図９】
2010043463.tif 000011
【図１０】
2010043463.tif 000012
【図１１】
2010043463.tif 000013
【図１２】
2010043463.tif 000014
【図１３】
2010043463.tif 000015
【図１４】
2010043463.tif 000016
【図１５】
2010043463.tif 000017
【図１６】
2010043463.tif 000018